(57)【特許請求の範囲】
【請求項１】
モータを内蔵した筒状のモータハウジングに、冷却用空気の吸気口を周方向に複数並設し、前記モータハウジングの内面に、前記モータの固定子の軸方向へ移動を規制する突条を前記モータハウジングの軸方向へ突設した電動工具であって、
前記吸気口を、前記吸気口間の仕切部分が前記突条の延長上に位置するように配置し、前記仕切部分を、前記モータハウジングの内部側へ突出する肉厚形状として前記突条と一体に接続するとともに、
前記モータハウジングの内部に、前記モータの整流子を囲む防塵壁を、肉厚にした前記仕切部分と一体的に設けたことを特徴とする電動工具。
【請求項２】
モータハウジングが、モータ及び前記モータの整流子を内蔵可能な一つの筒状部材からなり、該モータハウジングの、前記整流子の周囲となる位置に吸気口を配置したことを特徴とする請求項１に記載の電動工具。
【発明の詳細な説明】
【０００１】
【発明の属する技術分野】
本発明は、モータを内蔵したモータハウジングに、冷却用空気の吸気口を形成したグラインダ等の電動工具に関する。
【０００２】
【従来の技術】
例えばグラインダでは、モータを内蔵したモータハウジングに、モータの冷却用空気の吸気口が形成され、モータの出力軸に固着されたファンの外周又は下流側には、排気口が形成される。よって、モータが駆動して出力軸と共にファンが回転すると、吸気口から冷却用空気が取り込まれ、モータハウジング内を通過して排気口から排出される空気流が生じる。この空気流によってモータを冷却可能となっている。
【０００３】
【発明が解決しようとする課題】
吸気口は、通常、モータハウジングの周方向に複数並設されるため、吸気口の間の仕切部分が細くなる。よって、当該部分の強度が不足し、本体を落下させたり、他の物にぶつけたりすると、仕切部分が破損するおそれがある。逆に、仕切部分の破損を防止するために吸気口の長さを短くすると、開口面積が少なくなって充分な冷却効果が得られない。
【０００４】
そこで、請求項１に記載の発明は、吸気口を複数並設したものであっても、仕切部分での強度不足を解消でき、充分な冷却効果も得られる電動工具を提供することを目的としたものである。
【０００５】
【課題を解決するための手段】
上記目的を達成するために、請求項１に記載の発明は、吸気口を、吸気口間の仕切部分が前記突条の延長上に位置するように配置し、仕切部分を、モータハウジングの内部側へ突出する肉厚形状として突条と一体に接続するとともに、モータハウジングの内部に、モータの整流子を囲む防塵壁を、肉厚にした仕切部分と一体的に設けたことを特徴とするものである。
請求項２に記載の発明は、請求項１に記載の発明において、モータハウジングが、モータ及びモータの整流子を内蔵可能な一つの筒状部材からなり、該モータハウジングの、整流子の周囲となる位置に吸気口を配置したことを特徴とするものである。
【０００６】
【発明の実施の形態】
以下、本発明の実施の形態を図面に基づいて説明する。
図１は、グラインダの縦断面図で、グラインダ１は、整流子モータ５を収容したモータハウジング２の前方（図１の左側）にギヤハウジング３を、後方にリヤカバー４を夫々組み付けてなる。ギヤハウジング３内では、整流子モータ５の回転子６と直交状にスピンドル１０が軸支されて、回転子６の出力軸７の先端に固着された第１ベベルギヤ１１と、スピンドル１０へ一体に固着された第２ベベルギヤ１２との噛合により、出力軸７の回転をスピンドル１０へ伝達可能となっている。１３は、ギヤハウジング３の下方へ突出するスピンドル１０に装着される円盤状砥石である。
【０００７】
また、整流子モータ５の回転子６は、モータハウジング２の後面に形成されたベアリングボックス１４内のボールベアリング１５と、ギヤハウジング３の後面に形成されたベアリングボックス１６内のボールベアリング１７とで回動可能に軸支される。１８は、ボールベアリング１７の後方で出力軸７へ直交状に固着されたファンである。
さらに、回転子６後方に設けられた整流子８の周囲でモータハウジング２には、図２，３及び５に示すように、吸気口１９，１９・・が、モータハウジング２に形成される一対のブラシホルダ装着孔２１，２１を夫々周方向に挟む格好で２つずつ並設される一方、ギヤハウジング３には、複数の排気口２０，２０・・が穿設されている。
【０００８】
但し、吸気口１９，１９・・は、各吸気口１９，１９間に生じる４つの仕切部分２２，２２・・が、モータハウジング２内で整流子モータ５の固定子９を受けて後方側への移動を規制する４つの突条２３，２３・・の延長上に位置するように配置されている。各仕切部分２２は、モータハウジング２の他の部分よりもモータハウジング２の内部側に突出する肉厚形状となって、各突条２３と一体に接続されている。
【０００９】
また、モータハウジング２内には、整流子８を囲む格好で一回り小さい防塵壁２４が横断面太鼓状に周設され、ベアリングボックス１４を支持する放射状の支持片２５，２５・・によって一体に支持されている。この防塵壁２４は、外面角部が、吸気口１９，１９・・の仕切部分２２，２２・・の内方へ位置するように配置されて、各角部が夫々仕切部分２２と一体に接続されている。この防塵壁２４は、吸気口１９，１９・・から進入する冷却用空気が整流子８に直接接触して塵埃が整流子８に付着するのを防止するものである。
【００１０】
以上の如く構成されたグラインダ１は、リヤカバー４に設けたスイッチ２６をＯＮ操作して整流子モータ５を駆動させると、出力軸７と共にファン１８が回転して、吸気口１９，１９・・から外気が取り込まれ、モータハウジング２と防塵壁２４との間からモータハウジング２及びギヤハウジング３内を通過して排気口２０，２０・・から排出される空気流が生じる。この空気流によって整流子モータ５が冷却される。ここで、吸気口１９，１９・・の仕切部分２２，２２・・は肉厚に形成され、なおかつ固定子９の移動を規制する突条２３と一体接続されているので、各仕切部分２２の強度が高まり、破損するおそれが少なくなる。よって、吸気口１９，１９・・をモータハウジング２の軸方向に長く形成可能となり、必要な開口面積を確保して充分な冷却効果を得ることができる。
特にここでは、各仕切部分２２を整流子８の防塵壁２４とも一体に接続しているから、各仕切部分２２の強度がさらに高まり、吸気口１９の開口面積の一層の拡大が可能となっている。
【００１１】
なお、上記形態では、吸気口は４箇所に２つずつ並設しているが、３つ以上であっても、吸気口間に生じる複数の仕切部分を同様に肉厚にすれば良い。この場合、１本の突条に対して複数の仕切部分を一体に接続することも可能である。すなわち、突条の延長上は、突条と仕切部分とが連続状に一体接続できれば、厳密な一直線上に限らない。また、整流子の防塵壁を設けたグラインダに本発明を適用しているが、電動工具はグラインダに限定するものではない。
【００１２】
【発明の効果】
本発明によれば、吸気口を、吸気口間の仕切部分が突条の延長上に位置するように配置し、仕切部分を、モータハウジングの内部側へ突出する肉厚形状として突条と一体に接続したことで、各仕切部分の強度が高まり、破損するおそれが少なくなる。したがって、吸気口をモータハウジングの軸方向に長く形成可能となり、必要な開口面積を確保して充分な冷却効果を得ることができる。
また、モータハウジング内部に、モータの整流子を囲む防塵壁を仕切部分と一体的に設けたことで、仕切部分の強度がさらに高まり、吸気口の開口面積の一層の拡大が可能となる。
【図面の簡単な説明】
【図１】グラインダの縦断面図である（但し、構造説明の便宜上モータハウジングの一部はブラシホルダの位置で断面を示す）。
【図２】モータハウジングを後方から見た斜視図である。
【図３】モータハウジングの拡大縦断面図である。
【図４】Ａ−Ａ線断面図である。
【図５】Ｂ−Ｂ線断面図である。
【符号の説明】
１・・グラインダ、２・・モータハウジング、５・・整流子モータ、６・・回転子、９・・固定子、１８・・ファン、１９・・吸気口、２０・・排気口、２２・・仕切部分、２３・・突条、２４・・防護壁。
【図１】
0003955755.tif 000002
【図２】
0003955755.tif 000003
【図３】
0003955755.tif 000004
【図４】
0003955755.tif 000005
【図５】
0003955755.tif 000006